(57)【要約】【課題】保管や持ち運びが容易であるとともに必要な時には直ちに中身を取り出すことのできる厚みのある立体物や粉体、小物の収容に適したファイルバインダー用収納ボックス及びこれを用いた収納ボックス付きファイルバインダーを提供することを目的とする。【解決手段】１以上の容器部とそれに対応する蓋部に綴じしろを設けてなり、前記綴じしろが、綴じ具を有するファイルバインダーの綴じ具によりファイルバインダー内に留止されることを特徴とする収納ボックス。【選択図】図１
2019038241.tif 000002
【特許請求の範囲】
【請求項１】
１以上の容器部とそれに対応する蓋部に綴じしろを設けてなり、前記綴じしろが、綴じ具を有するファイルバインダーの綴じ具によりファイルバインダー内に留止されることを特徴とする収納ボックス。
【請求項２】
前記綴じしろがファイルバインダーの綴じ具に対応する綴じ部を有し、綴じ部がファイルバインダーの綴じ具に係止されることによりファイルバインダー内に保持されることを特徴とする請求項１に記載の収納ボックス。
【請求項３】
前記１以上の容器部とそれに対応する蓋部それぞれに綴じしろを設けてなる請求項１または２に記載の収納ボックス。
【請求項４】
前記綴じ部が綴じしろに設けた穴である請求項１〜３のいずれかに記載の収納ボックス。
【請求項５】
ファイルバインダーが（ａ）１対のカバー部材、（ｂ）これら１対のカバー部材を、相対する辺で連結する連結部材、及び（ｃ）これらのカバー部材と連結部材により画定される空間内に固定された綴じ具を有するものであり、請求項１〜４のいずれかに記載の収納ボックスを前記綴じしろにおいてファイルバインダーの綴じ具によりファイルバインダー内に保持可能な収納ボックス付きファイルバインダー。
【請求項６】
前記カバー部材と連結部材が一体に形成され、断面が概ねコの字になるように成形されてファイルバインダーの本体部分を形成する請求項５に記載の収納ボックス付きファイルバインダー。
【請求項７】
前記綴じ具が所定の間隔を置いて設けられた２以上の分割可能なリング状部材であり、収納ボックスの綴じ部が、これらのリング状部材に対応する位置及び大きさの綴じ穴である請求項５または６に記載の収納ボックス付きファイルバインダー。
【発明の詳細な説明】
【技術分野】
【０００１】  本発明は、ファイルバインダー用収納ボックス及びこれを用いた収納ボックス付きファイルバインダーに関する。
【背景技術】
【０００２】  オフィス等ではファイルやバインダーがよく用いられている。これは、紙片や書類などを綴じるための文具であり、（ａ）概ね同一形状の１対の矩形カバー部材、（ｂ）これら１対のカバー部材を、相対する１辺で連結する連結部材、及び（ｃ）これらのカバー部材と連結部材により画定される空間内に固定された綴じ具からなるものである。通常、カバー部材と連結部材は一体に形成され、断面が概ねコの字になるように成形されてバインダーの本体部分を形成する。なお、文具業界では、ファイルは記録済みの書類を綴じるもの、バインダーは未記録のルーズリーフ等を綴じてそれに記録するものという区別もあるが、本発明では紙片や書類を綴じることが目的ではないので、これらを総称して「ファイルバインダー」という。【０００３】  綴じ具の形式は様々であるが、例えば、リング式ファイルバインダーでは、所定の個数（ここではｎ個とする）の金属リングが前記ファイルバインダーの本体部分の内側に間を隔てて固定されており、各金属リングは利用者の操作によりそれぞれ円弧状部材に分割されるように構成されている。利用時には、綴じるべき紙片の前記リングと対応する位置に穴あけパンチなどでｎ個の穴（綴じ穴）を開け、紙片の前記ｎ個の綴じ穴に前記円弧状部材をそれぞれ挿入した後、各円弧状部材をそれぞれリング状に再結合する。この結果、紙片はリングによって保持され、ファイルバインダーとしての目的が達成される。【０００４】  ファイルバインダーにおいては、ファイルすべき紙片に穴を開けたくない場合、薄いクリアファイルを綴じてこれに紙片を保持することも可能であり、ファイルバインダーに綴じる目的で初めから綴じ穴が開けられた薄い袋状のクリアファイル（以下、「クリアファイルリフィル」という）も市販されている。また、名刺ケースのように１枚の支持片に複数の名刺収容ポケットを設けて複数の名刺を収納できる製品も市販されている。【０００５】  しかし、このようなクリアファイルリフィルは薄い袋であり、厚みのある立体物は保持できない。無理にクリアファイルリフィルに立体物を入れても多くのものは保持できない。また、名刺ケースでも複数の厚みのある立体物は保持できない。さらに、紙片の投入用、や名刺の挿入用に上辺が開いているため、厚みのある物品や粉体、小物類では、この投入辺から中身が抜け落ちてしまうおそれがある。このように、従来のファイルバインダーは文字通り、書類などのファイリングを目的としており、厚みのある立体物や粉体、小物類の保持には適していない。
【発明の概要】
【発明が解決しようとする課題】
【０００６】  本発明は上記の課題を解決するためになされたものであって、保管や持ち運びが容易であるとともに必要な時には直ちに中身を取り出すことのできるファイルバインダー用収納ボックス及びこれを用いた収納ボックス付きファイルバインダーを提供することを目的とする。
【課題を解決するための手段】
【０００７】  上記の課題を解決するために本発明は、以下の収納ボックス及びバインダーを提供する。
［１］１以上の容器部とそれに対応する蓋部に綴じしろを設けてなり、前記綴じしろが、綴じ具を有するファイルバインダーの綴じ具によりファイルバインダー内に留止されることを特徴とする収納ボックス。
［２］前記綴じしろがファイルバインダーの綴じ具に対応する綴じ部を有し、綴じ部がファイルバインダーの綴じ具に係止されることによりファイルバインダー内に保持されることを特徴とする前記［１］に記載の収納ボックス。
［３］前記１以上の容器部とそれに対応する蓋部それぞれに綴じしろを設けてなる前記［１］または［２］に記載の収納ボックス。
［４］前記綴じ部が綴じしろに設けた穴である前記［１］〜［３］のいずれかに記載の収納ボックス。
［５］ファイルバインダーが（ａ）１対のカバー部材、（ｂ）これら１対のカバー部材を、相対する辺で連結する連結部材、及び（ｃ）これらのカバー部材と連結部材により画定される空間内に固定された綴じ具を有するものであり、前記［１］〜［４］のいずれかに記載の収納ボックスを前記綴じしろにおいてファイルバインダーの綴じ具によりファイルバインダー内に保持可能な収納ボックス付きファイルバインダー。
［６］前記カバー部材と連結部材が一体に形成され、断面が概ねコの字になるように成形されてファイルバインダーの本体部分を形成する前記［５］に記載の収納ボックス付きファイルバインダー。
［７］前記綴じ具が所定の間隔を置いて設けられた２以上の分割可能なリング状部材であり、収納ボックスの綴じ部が、これらのリング状部材に対応する位置及び大きさの綴じ穴である前記［５］または［６］に記載の収納ボックス付きファイルバインダー。
【発明の効果】
【０００８】  本発明のファイルバインダー用収納ボックスは、厚みのある立体物でも保持可能であり、市販のファイルバインダーに綴じることにより、効率的に整理して保持できる。
【図面の簡単な説明】
【０００９】
【図１】本発明の一態様におけるファイルバインダー用収納ボックスを保持してなる収納ボックス付きファイルバインダーの構造を示す正面図、側面図及び底面図である。
【図２】図１の態様におけるファイルバインダー用収納ボックスとファイルバインダーとを分離した状態における斜視図である。
【図３】図１の態様におけるファイルバインダー用収納ボックスをファイルバインダーに保持した状態で蓋を閉じた状態（Ａ）と開けた状態（Ｂ）を模式的に示す斜視図である。
【図４】本発明の一態様におけるファイルバインダー用収納ボックスの蓋部（Ａ）と容器部（Ｂ）の構造を示す正面図、側面図及び底面図である。
【図５】図１の態様におけるファイルバインダー用収納ボックスを２段に保持してなる収納ボックス付きファイルバインダーの構造を示す斜視図である。
【図６】図１の態様とは異なる態様におけるファイルバインダー用収納ボックスを保持してなる収納ボックス付きファイルバインダーの構造を示す斜視図である。
【図７】本発明の収納ボックス付きファイルバインダー複数を縦に収納した状態を示す斜視図である。
【図８】本発明の収納ボックス付きファイルバインダー複数を引き出し等に収納した状態を示す斜視図である。
【発明を実施するための形態】
【００１０】  以下、本発明の実施の形態を、図面を用いて説明する。
まず、図１〜３において、ファイルバインダー用収納ボックス及びこれを用いた収納ボックス付きファイルバインダーの構造を模式的に示す。
【００１１】  図１は市販の２穴リングファイルバインダー２に本発明のファイルバインダー用収納ボックス３（容器部）・４（蓋部）を綴じてなる収納ボックス付きファイルバインダー１の３面図であり、図２はこれら（ファイルバインダー２とファイルバインダー用収納ボックス３＋４）を分離して示したものである。
【００１２】  ここでは、ファイルバインダー２として２穴リング式ファイルバインダーの例を示したが、ファイルバインダー２はリング式に限定されないし、リング式の場合もリングの個数は２個に限定されない。
すなわち、ファイルバインダーは市販の任意のファイルバインダーを用いることができる。典型的には、ファイルバインダー２は
（ａ）１対のカバー部材、
（ｂ）これら１対のカバー部材を、相対する辺で連結する連結部材、及び
（ｃ）これらのカバー部材と連結部材により画定される空間内に固定された綴じ具を有するものである。
【００１３】  カバー部材は通常は矩形部材である。カバー部材と連結部材は別箇の部材でもよいが、カバー部材が連結部材と一体に形成され、断面が概ねコの字になるように成形されてバインダーの本体部分を構成するものでもよい。後者の場合、カバー部材は前後の表紙、連結部材はファイルバインダーを外から見た場合の背表紙に相当する。
【００１４】  ファイルバインダー２は前述したように、文具業界において「ファイル」と呼ばれるもの、「バインダー」と呼ばれるもののいずれでもよく、代表的なものとしては、
・図２に示す「リング式ファイルバインダー」、
・カバー部材の一方から棒状または筒状の剛性部材を複数延ばし、この剛性部材に紙片の穿孔部を通した後、剛性部材の終端に概ね平板状の固定部材を留止して紙片を綴じる「パイプ式ファイルバインダー」、
・カバー部材の一方に、断面がＺ状の金具を固定し、Ｚ状の上辺部材と下辺部材の間に紙片等を挟んだ後、上辺部材と下辺部材の間隔を縮めて紙片等を圧縮固定する「Ｚ式ファイルバインダー」
・カバー部材の一方から紐状または帯状の柔軟部材を２つ延ばし、この柔軟部材に紙片の穿孔部を通した後、柔軟部材の終端を、２つのスリットを開けた細長溝状部材にそれぞれ通し、溝状部材に固定部材をスライドさせて紙片を綴じる「スライド式ファイルバインダー」
等が挙げられるが、ファイルバインダーの紙片固定部に本発明の収納ボックス３（容器部）・４（蓋部）の綴じしろ部分を綴じることができる限り、任意のファイルバインダーが利用できる。
【００１５】  図１〜３に示すように、本発明の収納ボックス１は１以上の容器部とそれに対応する蓋部に綴じしろを有しており、前記綴じしろが、綴じ具を有するファイルバインダーの綴じ具によりファイルバインダー内に留止される。
【００１６】  好ましくは、前記綴じしろがファイルバインダーの綴じ具に対応する綴じ部を有し、綴じ部がファイルバインダーの綴じ具に係止されることによりファイルバインダー内に保持される。例えば、リング式ファイルバインダーでは、ファイルバインダーの綴じ具は２以上の分割可能なリング状部材であり、これらの分割可能なリング状部材は所定の間隔を置いて設けられている。この場合、本発明の収納ボックスの綴じ部は綴じ穴であり、これらもリング状部材と同じ間隔で設けられている。この点はパイプ式ファイルバインダーやスライド式ファイルバインダー等、穴あけ式のファイルバインダーにおいては同様である。
【００１７】  非穴開け式ファイルバインダー、例えば、Ｚ式ファイルバインダーにおいては、前記綴じしろにおける綴じ部はＺ状の金具の上辺部材と下辺部材の間隔を縮める際の圧縮固定に耐えるものであればよい。
【００１８】  本発明の収納ボックスにおいて、綴じしろは容器部３と蓋部４のそれぞれに設けてもよいし、容器部３のみに設けてもよい。図４には綴じしろは容器部３と蓋部４のそれぞれに設けた態様を示す。図３には収納ボックスをファイルバインダー内にセットした状態において、蓋部４を綴じた状態（Ａ）と開けた状態（Ｂ）を示している。蓋部の綴じしろの穴６と容器部３の綴じしろの穴６を貫通してリング５が通っているため、蓋部４はリング５の軌道上にあるため、蓋部の開閉が容易に行える。
【００１９】  図１〜４に示すように、本発明の収納ボックスにおいて、容器部３は複数を設けることができる。図では３個の容器部と３個の蓋部４を有する例を挙げているが、もちろん、容器部３は１個でも２個でもよいし、４個以上でもよい。図１〜４に示す態様では、蓋部４にも容器部３と独立して綴じしろがあり、どちらもリング５の軌道上にあるが、蓋部４にも容器部３の綴じしろを一体化してもよいし（この場合、図１〜４よりも綴じしろを長めに取る）、蓋部４には綴じしろを設けず、容器部３のみが綴じしろを有してもよい。
【００２０】  容器部３は綴じしろと連続して設けるのに適したものであればよく、紙製でもプラスチック製でも金属製でもよいが、一般的には、軽量なプラスチック製が好ましい。プラスチックは硬質プラスチックでも軟質プラスチックでもよい。大きさは通常のファイルバインダーに収納できるものであればよい。
【００２１】  図１〜４では容器部３を並列して連続して設けているが、それぞれの間に空隙を設けてもよい。蓋部４は１枚のシート状に設けた態様を示したが、綴じしろを設けない場合は各容器部３に個別に蓋部４を設けることも可能である。また、蓋部４に綴じしろを設ける場合でも、蓋部４を各容器ごとに開閉できるように各蓋部の間に切れ込みを入れてもよい。
また、図５に示すように、容器部３と蓋部４を多段に設けてもよい。
【００２２】  さらに、図６に示すように、容器部３と蓋部４を１セットとして複数セットを固定してもよい。図６の例では、画面手前の容器部３と蓋部４（これをＰとする）と画面奥の容器部３と蓋部４（これをＱとする）は独立した綴じしろを有しており、Ｐの綴じしろには３つの穴が開けられており、Ｑの綴じしろには２つの穴が開けられており、５穴のファイルバインダーに保持される態様である。もちろん、容器部３と蓋部４は３セット以上でもよいし、各セットの綴じしろには２つ以上の穴があればよい。
【００２３】  容器部３と蓋部４の開閉は、嵌め込み式の開閉でもよいし、吸着式の開閉でもよいし、ロック式の開閉でもよい。一般に小物収容のためのプラスチックケースでも用いられている任意の開閉形式が利用できる。
【００２４】  小物収容のためのプラスチックケースは従来も市販されているが、積み上げてしまうと下のものが取りだしにくく、また、何が入っているかわかりにくい。平置きにすると取りだしやすく、何が入っているかわかりやすいが空間的な収納効率が悪い。
【００２５】  本発明のファイルバインダー用収納ボックス１は図７のように卓上や棚７等に縦置きしたり、図８のように引き出し８に収納してもよく、背表紙に中身を書くことも可能であるため取りだしやすく、何が入っているかわかりやすく、かつ、空間的な収納効率がよい。
【００２６】  また、市販のファイルバインダーを利用できるため、利用者の好みや必要に応じていろいろな分野で整理が可能になる。
【００２７】  特に容器部として硬質またはある程度以上の剛性を有する材料を用いれば、柔らかい立体物でもつぶれることがない。さらに蓋があるので細かい部品等の出し入れの際こぼれない。また、ファイルから蓋付収納ボックスを外しても収納ボックスだけでも積み重ねることができる。
【産業上の利用可能性】
【００２８】  本発明のファイルバインダー用収納ボックスは、製造業等の産業分野における小物部品の整理、薬局や病院等における医療品・医薬品の整理、小売業等や飲食店、家庭における調味料や食料品の整理、手芸やフィギュア等趣味の分野でも立体物や粉体の個別管理に有用であり、あらゆる分野での整理整頓が可能になる。また、従来、主に事務用にしか用いられてこなかったファイルバインダーの用途を大きく拡大するものであり、文具業界・事務用品業界にとっても有用性の高い発明である。
【図１】
2019038241.tif 000003
【図２】
2019038241.tif 000004
【図３】
2019038241.tif 000005
【図４】
2019038241.tif 000006
【図５】
2019038241.tif 000007
【図６】
2019038241.tif 000008
【図７】
2019038241.tif 000009
【図８】
2019038241.tif 000010